(57)【要約】【課題】  ノブを操作した際に第１、第２のステーを互いに反対方向にギアを用いずに同期させることができるロック装置の提供。【解決手段】ベース２０と、ベース２０に往復直線動可能に支持される第１、第２のステー３０，４０と、ベース２０に対して可動なノブ５０と、ノブ５０の動きを第１、第２のステー３０，４０に伝達する伝達機構６０と、を有し、伝達機構６０は、一側面６１ａと他側面６１ｂに第１、第２のステー３０，４０の移動方向と直交する方向から互いに反対方向に傾斜する傾斜部６１ｃ、６１ｄを備えるプレート６１と、第１のステー３０に設けられプレート６１の一側面６１ａの傾斜部６１ｃと摺動可能な第１のステー側傾斜部６２と、第２のステー４０に設けられプレート６１の他側面６１ｂの傾斜部６１ｄと摺動可能な第２のステー側傾斜部６３と、を備える、ロック装置１０。【選択図】        図２
2009299268.tif 000002
【特許請求の範囲】
【請求項１】
ベースと、
前記ベースに往復直線動可能に支持される第１、第２のステーと、
前記ベースに対して可動なノブと、
前記ノブの動きを前記第１、第２のステーに伝達する伝達機構と、
を有し、
前記伝達機構は、前記ベースに対して前記第１、第２のステーの移動方向と直交する方向に可動とされており一側面と他側面に前記第１、第２のステーの移動方向と直交する方向から互いに反対方向に傾斜する傾斜部を備えるプレートと、前記第１のステーに設けられ前記プレートの一側面の傾斜部と摺動可能な第１のステー側傾斜部と、前記第２のステーに設けられ前記プレートの他側面の傾斜部と摺動可能な第２のステー側傾斜部と、を備える、ロック装置。
【発明の詳細な説明】
【技術分野】
【０００１】
本発明は、車両用グローブボックス等に設けられるロック装置に関する。
【背景技術】
【０００２】
特開２００７−２８５０２１号公報は、ベースと、ベースに往復直線動可能に支持される第１、第２のステーと、ベースに対して可動なノブと、ノブを操作した際に第１、第２のステーを互いに反対方向に同期させるギアと、を有するロック装置を示している。
【０００３】
しかし、従来のロック装置には、次の問題点がある。
ギアを用いているため、第１、第２のステーとギアとの間でガタが生じる。ガタが生じるため、操作フィーリングの低下、ギアの歯とび、ギアの破損が生じるおそれがある。
また、ギアを用いているため、ギアと第１、第２のステーとの接触が線接触に近くギア歯にかかる荷重が大きくなる。そのため、設計上不利である。
【特許文献１】特開２０００−３２０３１９号公報
【発明の開示】
【発明が解決しようとする課題】
【０００４】
本発明の目的は、ノブを操作した際に第１、第２のステーを互いに反対方向にギアを用いずに同期させることができるロック装置を提供することにある。
【課題を解決するための手段】
【０００５】
上記目的を達成する本発明はつぎの通りである。
（１）  ベースと、
前記ベースに往復直線動可能に支持される第１、第２のステーと、
前記ベースに対して可動なノブと、
前記ノブの動きを前記第１、第２のステーに伝達する伝達機構と、
を有し、
前記伝達機構は、前記ベースに対して前記第１、第２のステーの移動方向と直交する方向に可動とされており一側面と他側面に前記第１、第２のステーの移動方向と直交する方向から互いに反対方向に傾斜する傾斜部を備えるプレートと、前記第１のステーに設けられ前記プレートの一側面の傾斜部と摺動可能な第１のステー側傾斜部と、前記第２のステーに設けられ前記プレートの他側面の傾斜部と摺動可能な第２のステー側傾斜部と、を備える、ロック装置。
【発明の効果】
【０００６】
上記（１）のロック装置によれば、伝達機構が、一側面と他側面に第１、第２のステーの移動方向と直交する方向から互いに反対方向に傾斜する傾斜部を備えるプレートと、第１のステーに設けられプレートの一側面の傾斜部と摺動可能な第１のステー側傾斜部と、第２のステーに設けられプレートの他側面の傾斜部と摺動可能な第２のステー側傾斜部と、を備える。そのため、ノブを操作してプレートを第１、第２のステーの移動方向と直交する方向に移動させることにより、プレートの一側面の傾斜部と第１のステー側傾斜部とが摺動し合い、またプレートの他側面の傾斜部と第２のステー側傾斜部とが摺動し合い、第１、第２のステーを互いに反対方向に同期させて動かすことができる。
【発明を実施するための最良の形態】
【０００７】
以下に、本発明実施例のロック装置を、説明する。
本発明実施例のロック装置１０は、インストルメントパネルの助手席側に配置される車両用グローブボックスに設けられるロック装置であってもよく、グローブボックスの上方に配置される車両用アッパボックスに設けられるロック装置であってもよく、運転席と助手席の間に配置されるコンソールパネルに配置される車両用コンソールボックスに設けられるロック装置であってもよく、その他のロック装置であってもよい。以下、本発明実施例および図示例では、ロック装置１０が車両用グローブボックスに設けられるロック装置である場合を説明する。
【０００８】
ロック装置１０は、図１に示すグローブボックス８０に取付けられる。グローブボックス８０は、グローブボックス８０の下端部の回動軸芯まわりに自重で回転して開き、閉めるときはグローブボックス８０の下端部の回動軸芯まわりに手でグローブボックス８０を持ち上げる。
【０００９】
ロック装置１０は、グローブボックス８０に設けられる凹部８１に配置される。ロック装置１０は、図２に示すように、ベース２０と、ベース２０に往復直線動可能に支持される第１、第２のステー３０，４０と、ベース２０に対して可動なノブ５０と、ノブ５０の動きを第１、第２のステー３０，４０に伝達する伝達機構６０と、を有する。
【００１０】
ベース２０は、樹脂製である。ベース２０は、グローブボックス８０に対して固定されている。ベース２０は、グローブボックス８０に一体に形成されていてもよく、グローブボックス８０と別体に形成されてグローブボックス８０に固定して取付けられていてもよい。
【００１１】
第１、第２のステー３０，４０は、樹脂製である。ベース２０に車両左右方向にスライド可能に支持されている。第１、第２のステー３０，４０は、伝達機構６０により、互いに反対方向に同期して動く。
第１のステー３０には、車両左右方向に延びる樹脂製の第１のロッド７０が連結部３１で連結されている。ただし、第１のロッド７０は第１のステー３０と一体に形成されていてもよい。第１のロッド７０は、第１のステー３０とともに動き、図３に示すように、インストルメントパネル９０に設けられる穴９１に出入りする。
第２のステー４０には、図２に示すように、樹脂製の第２のロッド７１が連結部４１で連結されている。ただし、第２のロッド７１は第２のステー４０と一体に形成されていてもよい。第２のロッド７１は、第２のステー４０とともに動き、図３に示すように、インストルメントパネル９０に設けられる穴９２に出入りする。
第１、第２のロッド７０，７１が穴９１，９２に入り込んでいるとき、グローブボックス８０は閉状態を維持する。第１，第２のロッド７０，７１は、第１、第２のロッド７０，７１の一方とグローブボックス８０との間に配置された図示略のリターンスプリングにより、グローブボックス８０に対して穴９１，９２に入り込む方向に常時付勢されている。
【００１２】
ノブ５０は、樹脂製である。ノブ５０は、ベース２０に回動可能（揺動可能）に取付けられている。ノブ５０は、ノブ５０の下端部を車両後方かつ上方に引き上げることにより、ベース２０に対して回動する。ノブ５０を操作すると、ノブ５０は、ノブ５０の上下方向中間部に設けられる軸まわりに回動する。
ノブ５０は、図２に示すように、ノブ付勢スプリング５１と、金属製のキーシリンダ５２と、突起部５３と、を備えている。ただし、キーシリンダ５２は必須の構成要件ではない。
【００１３】
ノブ付勢スプリング５１は、ベース２０に対してノブ５０を、常時、ノブ下端部が引き上げられる前の状態に戻る方向に付勢している。
突起部５３は、キーシリンダ５２に設けられている。ただし、キーシリンダ５２が設けられていない場合には、突起部５３は、キーシリンダ５２以外のノブ５０部分に設けられる。
【００１４】
伝達機構６０は、プレート６１と、第１のステー側傾斜部６２と、第２のステー側傾斜部６３と、を備える。
【００１５】
プレート６１は、樹脂製である。プレート６１は、ベース２０に対して第１、第２のステー３０，４０の移動方向（車両左右方向）と直交する方向（グローブボックス８０が閉位置にあるとき上下方向）に可動とされている。プレート６１は、一側面（車両前方側面）６１ａに車両後方から見たときに（ノブ５０側から見たときに）車両右側かつ下方に直線状に傾斜する第１の傾斜部６１ｃを備えている。プレート６１は、他側面（車両後方側面）６１ｂに車両後方から見たときに（ノブ５０側から見たときに）車両左側かつ下方に直線状に傾斜する第２の傾斜部６１ｄを備えている。すなわち、第１、第２の傾斜部６１ｃ、６１ｄは、プレート６１の移動方向（上下方向、第１、第２のステー３０，４０の移動方向と直交する方向）から互いに反対方向に傾斜している。
【００１６】
プレート６１は、ノブ５０を操作した際にノブ５０の突起部５３によって上方から押される押圧部６１ｅと、プレート付勢スプリング６１ｆと、を備える。
押圧部６１ｅがノブ５０の突起部５３によって上方から押されたとき、プレート６１がプレート付勢スプリング６１ｆの付勢力に抗して下方に押し下げられ、ノブ５０の突起部５３による押圧が解除されたとき、プレート６１がプレート付勢スプリング６１ｆの付勢力によって上方に移動し押し下げられる前の位置に戻る。
【００１７】
第１のステー側傾斜部６２は、第１のステー３０に設けられている。第１のステー側傾斜部６２は、第１のステー３０と別体に形成されて第１のステー３０に固定して取付けられていてもよいが、部品点数削減のために第１のステー３０と一体に形成されていることが望ましい。第１のステー側傾斜部６２は、プレート６１の第１の傾斜部６１ｃと同方向に直線状に傾斜しており、第１の傾斜部６１ｃと摺動可能とされている。
【００１８】
第２のステー側傾斜部６３は、第２のステー４０に設けられている。第２のステー側傾斜部６３は、第２のステー４０と別体に形成されて第２のステー４０に固定して取付けられていてもよいが、部品点数削減のために第２のステー４０と一体に形成されていることが望ましい。第２のステー側傾斜部６３は、プレート６１の第２の傾斜部６１ｄと同方向に直線状に傾斜しており、第２の傾斜部６１ｄと摺動可能とされている。
【００１９】
ここで、ロック装置１０の組付け方法を説明する。
まず、プレート付勢スプリング６１ｆをプレート６１の下側に配置する。
次いで、第２のステー４０をベース２０の所定位置に組付け、その後プレート６１を第２の傾斜部６１ｄと第２のステー側傾斜部６３とを嵌め合いながらベース２０に挿入し、その後第１のステー３０を第１の傾斜部６１ｃと第１のステー側傾斜部６２とを嵌め合いながらベース２０の所定位置に組み付ける。
次いで、ベース２０とノブ５０との間にノブ付勢スプリング５１を配置した状態でノブ５０をベース２０に組付ける。
【００２０】
次に、本発明実施例の作用、効果を説明する。
本発明実施例では、伝達機構６０が、一側面６１ａと他側面６１ｂに第１、第２のステー３０，４０の移動方向と直交する方向から互いに反対方向に傾斜する傾斜部６１ｃ、６１ｄを備えるプレート６１と、第１のステー３０に設けられプレート６１の一側面６１ａの傾斜部６１ｃと摺動可能な第１のステー側傾斜部６２と、第２のステー４０に設けられプレート６１の他側面６１ｂの傾斜部６１ｄと摺動可能な第２のステー側傾斜部６３と、を備える。そのため、ノブ５０を操作してプレート６１を第１、第２のステー３０，４０の移動方向と直交する方向に移動させることにより、プレート６１の一側面６１ａの傾斜部６１ｃと第１のステー側傾斜部６２とが摺動し合い、またプレート６１の他側面６１ｂの傾斜部６１ｄと第２のステー側傾斜部６３とが摺動し合い、第１、第２のステー３０，４０を互いに反対方向に同期させて動かすことができる。
この構造では、従来のようにギアを用いて第１、第２のステーを同期化させていないため、ギアを用いる場合に発生していた問題点を解消することができる。
【００２１】
一部品のプレート６１の両側面６１ａ、６１ｂにそれぞれ傾斜部６１ｃ、６１が設けられているため、互いに異なる２つの部品の一方に傾斜部６１ｃを設け他方に傾斜部６１ｄを設ける場合に比べて、確実に第１、第２のステー３０，４０を反対方向に同期させることができる。
【００２２】
本発明の特徴の一つは、ノブ５０の回転運動をプレート６１の上下直線運動に変換し、さらに、プレート６１の上下直線運動を第１、第２のステー３０，４０の左右直線運動に変換していることである。
【図面の簡単な説明】
【００２３】
【図１】本発明実施例のロック装置がグローブボックスに適用された場合の、グローブボックスの、ロック装置を除いた斜視図である。
【図２】本発明実施例のロック装置がグローブボックスに適用された場合の、ロック装置と第１、第２のロッドとを示す分解斜視図である。
【図３】本発明実施例のロック装置がグローブボックスに適用された場合の、第１、第２のロッドとインストルメントパネルの穴との関係を示す概略図である。
【図４】本発明実施例のロック装置の、ノブを操作していないときの、第１、第２のステーとプレートとノブとの位置関係を示す部分拡大斜視図である。
【図５】本発明実施例のロック装置の、ノブを操作したときの、第１、第２のステーとプレートとノブとの位置関係を示す部分拡大斜視図である。
【符号の説明】
【００２４】
１０  ロック装置
２０  ベース
３０  第１のステー
４０  第２のステー
５０  ノブ
５１  ノブ付勢スプリング
５２  キーシリンダ
５３  突起部
６０  伝達機構
６１  プレート
６１ａ  プレートの一側面
６１ｂ  プレートの他側面
６１ｃ  第１の傾斜部
６１ｄ  第２の傾斜部
６１ｅ  押圧部
６１ｆ  プレート付勢スプリング
６２  第１のステー側傾斜部
６３  第２のステー側傾斜部
７０  第１のロッド
７１  第２のロッド
８０  グローブボックス
９０  インストルメントパネル
９１，９２  インストルメントパネルの穴
【図１】
2009299268.tif 000003
【図２】
2009299268.tif 000004
【図３】
2009299268.tif 000005
【図４】
2009299268.tif 000006
【図５】
2009299268.tif 000007